(57)【要約】【課題】位置決め及び固定の作業工数を低減でき施工性に優れ、マンホールの鉄蓋の大きさや鉄蓋に形成された切欠き部の位置によらず、均一かつ確実、強固に固定でき信頼性、汎用性に優れる円形カッター固定具の提供。【解決手段】（ａ）基部に配設され鉄蓋の周縁部に形成された切欠き部に係合される仮止め係止部と、（ｂ）基部に装設された軸支固定部に一端が回動自在に軸支された回動部と、回動軸支部を介して一端が回動部に回動自在に軸支され他端に配設された固定係止部で鉄蓋の周縁部に形成された他の切欠き部に係合されるリンク部と、を有する２つの調整固定部と、（ｃ）２つの調整固定部の回動軸支部を連結してその間隔を調整することにより２つの調整固定部の固定係止部の位置を調整するリンク調整部と、を有している。【選択図】図１
2006194071.tif 000002
【特許請求の範囲】
【請求項１】
マンホールの鉄蓋上に載置される基部と、前記基部に立設された支持部と、を有し、前記支持部で前記マンホール周辺の舗装路面を円形に切断する円形カッターの回動中心軸を支持する円形カッター固定具であって、
（ａ）前記基部に形成又は配設され前記鉄蓋の周縁部に形成された切欠き部に係合される仮止め係止部と、
（ｂ）前記基部に装設された軸支固定部に一端が回動自在に軸支された回動部と、回動軸支部を介して一端が前記回動部に回動自在に軸支され他端に形成又は配設された固定係止部で前記鉄蓋の周縁部に形成された他の切欠き部に係合されるリンク部と、を有する２つの調整固定部と、
（ｃ）前記２つの調整固定部の前記回動軸支部を連結して前記２つの回動軸支部の間隔を調整することにより前記２つの調整固定部の前記固定係止部の位置を調整するリンク調整部と、
を有することを特徴とする円形カッター固定具。
【請求項２】
一端に前記仮止め係止部が形成又は配設され他端が前記基部又は前記基部に延設された摺動支持部に摺動自在に配設された位置決め固定部を有することを特徴とする請求項１に記載の円形カッター固定具。
【請求項３】
前記位置決め固定部が、略長尺板状に形成され一端に前記仮止め係止部が形成又は配設された摺動部と、前記摺動部の他端に長手方向と平行に形成された長孔状の位置決め孔と、を有し、前記基部又は前記摺動支持部が、前記基部又は前記摺動支持部の上面に突設され前記位置決め孔に挿通される固定ボルト軸を有することを特徴とする請求項２に記載の円形カッター固定具。
【請求項４】
前記リンク調整部が、前記２つの回動軸支部にそれぞれ回動自在に配設された連結部と、両端部で前記２つの連結部に接続された伸縮部と、を有することを特徴とする請求項１乃至３の内いずれか１項に記載の円形カッター固定具。
【請求項５】
前記リンク調整部の前記伸縮部が、ターンバックルであることを特徴とする請求項４に記載の円形カッター固定具。
【請求項６】
前記リンク調整部が、（ａ）長手方向の一端側に形成され前記２つの回動軸支部の内のいずれか一方の回動軸支部に回動自在に保持された連結孔と、長手方向の他端側に形成され前記２つの回動軸支部の内の他方の回動軸支部を摺動自在に保持する長孔状の摺動保持部と、を有する連結板と、（ｂ）前記連結板の他端に螺着され前記摺動保持部の長手方向と平行に移動して先端部で前記他方の回動軸支部を水平方向に押圧する固定ねじと、を有することを特徴とする請求項１乃至３の内いずれか１項に記載の円形カッター固定具。
【請求項７】
前記支持部が、前記円形カッターの前記回動中心軸を支持する中空部を有し、前記基部が、前記中空部の略中心位置に穿設された中心確認孔を有することを特徴とする請求項１乃至６の内いずれか１項に記載の円形カッター固定具。
【発明の詳細な説明】
【技術分野】
【０００１】
本発明は、舗装道路における走行車両の振動や経年劣化等により沈下又は破損したマンホール周辺の舗装路面を補修する際に用いられる円形カッターの回動中心軸を位置決めし、回動自在に支持する円形カッター固定具に関するものである。
【背景技術】
【０００２】
舗装道路に設置されたマンホールやその周囲の舗装路面は、走行車両の振動の影響や経年劣化等によって陥没、沈下、クラックの発生、或いは破損等の劣化が生じ易く、その修復工事が必要となる。その補修工法として従来は、まず円形カッターによりマンホール周囲の舗装路面を円形に切断し、その切断舗装路面のアスファルトをブレーカー等で破砕してから取除いている。
マンホール周辺の舗装路面を鉄蓋と略同心円状に切断するには、円形カッターの回動中心軸を位置決めし、回動自在に支持する必要がある。
例えば（特許文献１）には、「支持脚部と、支持脚部に立設された支持部と、支持脚部に固定部材を介して摺動及び／又は回動自在に配設された固定脚部と、を備えたことを特徴とする円形カッター固定具」が開示されている。
また、（特許文献２）には、「マンホール蓋よりも小径の円板の中心に支軸を起立して設け、マンホール蓋の周縁部に欠切された複数の切り欠き凹処に掛止可能な掛止部を有するアームを円板上に放射状を形成して複数周設し、アームは少なくとも一つが伸縮・締結機能を有する調節部を備えて成ることを特徴とする路面用カッターの切断円芯出し装置」が開示されている。
【特許文献１】特願２００４−００２５０９号公報
【特許文献２】特開２００４−０４４１２７号公報
【発明の開示】
【発明が解決しようとする課題】
【０００３】
しかしながら上記従来の技術では、以下のような課題を有していた。
（１）（特許文献１）に記載の技術は、本願出願人が出願したものであり、マンホールの大きさや外周の舗装路面の凹凸や亀裂等の表面状態等に応じて固定脚部を摺動及び／又は回動させることで固定位置を任意に選択でき、固定脚部を舗装路面に固定するだけで柔軟かつ確実に円形カッター固定具を舗装路面に位置決め固定することができ、円形カッターを回動自在に支持して補修を行なうマンホールの外周と略同心円状の切断を行なうことができる汎用性に優れた円形カッター固定具であるが、固定脚部の端部に穿設した固定孔にピンやアンカー等を挿通し舗装路面に打ち込むことにより固定する方式であるため路盤によっては固定力が弱く、その場合に大型で重量のある円形カッターを用いる場合には、切断作業中に支持脚部や固定脚部の浮き等が発生し易く、円形カッターの回動中心軸を確実に支持することができず、固定力の強化による信頼性の向上と位置決め及び固定作業の簡素化による施工性の改善が望まれていた。
（２）（特許文献２）では、複数のアームが伸縮・締結機能を有する調節部を備えている場合、マンホール蓋の大きさに合わせて各々のアームの調節部を個別に伸縮させて長さ調整及び掛止固定を行わなければならず、作業が煩雑で施工性に欠けるという課題を有していた。また、複数のアームの伸縮・締結を個別に行うので、各々の掛止部をマンホール蓋の切り欠き凹処に対し均一な力で固定することが困難であり、支軸の傾きや位置ずれが発生し易く、芯出しの信頼性に欠けるという課題を有していた。更に、アームの角度を調整することができないので、切り欠き凹処の位置が異なるマンホール蓋には固定することができず汎用性に欠けるという課題を有していた。
【０００４】
本発明は上記従来の課題を解決するもので、位置決め及び固定作業が容易で作業工数を低減でき施工性に優れると共に、マンホールの鉄蓋に形成された切欠き部に係合させて均一かつ強固に固定することができ信頼性に優れ、鉄蓋の大きさや切欠き部の位置によらず確実に固定することができ汎用性に優れる円形カッター固定具の提供を目的とする。
【課題を解決するための手段】
【０００５】
上記課題を解決するために本発明の円形カッター固定具は、以下の構成を有している。
本発明の請求項１に記載の円形カッター固定具は、マンホールの鉄蓋上に載置される基部と、前記基部に立設された支持部と、を有し、前記支持部で前記マンホール周辺の舗装路面を円形に切断する円形カッターの回動中心軸を支持する円形カッター固定具であって、（ａ）前記基部に形成又は配設され前記鉄蓋の周縁部に形成された切欠き部に係合される仮止め係止部と、（ｂ）前記基部に装設された軸支固定部に一端が回動自在に軸支された回動部と、回動軸支部を介して一端が前記回動部に回動自在に軸支され他端に形成又は配設された固定係止部で前記鉄蓋の周縁部に形成された他の切欠き部に係合されるリンク部と、を有する２つの調整固定部と、（ｃ）前記２つの調整固定部の前記回動軸支部を連結して前記２つの回動軸支部の間隔を調整することにより前記２つの調整固定部の前記固定係止部の位置を調整するリンク調整部と、を有する構成を有している。
この構成により、以下のような作用を有する。
（１）基部に形成又は配設され鉄蓋の周縁部に形成された切欠き部に係合される仮止め係止部を有するので、仮止め係止部を切欠き部に係合させて基部をマンホールの鉄蓋上に載置するだけで容易に位置決めでき施工性に優れる。
（２）１つの仮止め係止部と２つの調整固定部の固定係止部をそれぞれ鉄蓋の周縁部に形成された切欠き部に係合させることができるので、基部と鉄蓋を３点で確実に固定することができ、円形カッターの回動中心軸を安定して支持し舗装路面の切断を行うことができる。
（３）２つの調整固定部が、基部に装設された軸支固定部に一端が回動自在に軸支された回動部と、回動軸支部を介して一端が回動部に回動自在に軸支され他端に形成又は配設された固定係止部で鉄蓋の周縁部に形成された他の切欠き部に係合されるリンク部を有するので、回動部の開度を調整すると共に、回動部に対してリンク部を回動させて固定係止部の位置を調整することができ、鉄蓋の寸法や切欠き部の位置に柔軟に対応して確実に固定することができる。
（４）２つの調整固定部の回動軸支部を連結して２つの回動軸支部の間隔を調整することにより２つの調整固定部の固定係止部の位置を調整するリンク調整部を有するので、リンク調整部を操作することにより２つの調整固定部の回動軸支部間の距離が変化し、それに伴って回動軸支部を介して互いに回動自在に軸支された回動部とリンク部が回動し、基部の軸支固定部に対して固定係止部の位置を変化させることができ、鉄蓋に形成された切欠き部への固定と解除を切替えることができる。
（５）１つの仮止め係止部とリンク調整部で連結された２つの調整固定部を有することにより、１つの仮止め係止部で位置決めして仮止めした上で、リンク調整部を調整して２つの調整固定部の固定係止部で固定することができるので、固定作業が容易で作業性に優れる。
【０００６】
ここで、円形カッター固定具の基部の形状は任意に選択できるが、鉄蓋上の中央に形成された円形や矩形、三角形等の模様に合わせて形成した場合、円形カッター固定具を設置する際に位置合わせが容易で施工性に優れる。また、支持部の中央に基部を貫通する中心確認孔を穿設した場合、鉄蓋の中心を確認しながら位置決め作業を行うことができ作業性、信頼性に優れる。
基部に永久磁石や電磁石を配設した場合、鉄蓋に着磁させて強固に固定することができ、円形カッター固定具を確実に支持することができ固定の安定性に優れる。特に、電磁石は容易に固定と解除を切替えることができ実用性に優れる。
支持部は基部に円筒状又は円柱状等に形成される。円形カッターの回動中心軸が中実の円柱状の場合、円筒状に形成された支持部の中空部に挿通され回動自在に支持される。円形カッターの回動中心軸が円筒状の場合、円柱状に形成された支持部を回動中心軸の中空部に挿通し回動自在に支持する。また、支持部が円筒状に形成されている場合、中空部に雌ねじを形設することにより、円形カッターの回動中心軸の形状や寸法に応じた円筒部や円柱部を備えたジョイント部材を螺着して種々の円形カッターの回動中心軸を回動自在に支持することができ汎用性に優れる。
【０００７】
仮止め係止部及び調整固定部の固定係止部の形状は、鉄蓋の周縁部に形成された切欠き部の形状に応じて選択することができるが、少なくとも切欠き部の端面に当接して係止されるものであればよい。仮止め係止部及び固定係止部は、それぞれ基部及び調整固定部の裏面側に突出するように形成又は配設される。基部及び調整固定部の端部を折り曲げて略Ｌ字型や略コ字型に形成したものや、略Ｌ字型や略コ字型の金具或いはピンやボルト等の略円柱状の棒材を基部及び調整固定部の端部にねじ止めや溶接等により配設したもの等が好適に用いられる。
仮止め係止部及び固定係止部の形状を略円柱状に形成した場合、切欠き部の端面と面接触させることができ固定力を高めることができる。
また、仮止め係止部及び固定係止部の形状を略コ字型に形成するか、円柱状の下端部に大径部を設けたものは、鉄蓋の切欠き部の端面に加え裏面にも仮止め係止部及び固定係止部を当接させてより確実に係止することができ、さらに強固に固定することができる。
仮止め係止部及び固定係止部と切欠き部との当接面に合成ゴム等の弾性体を配設した場合、仮止め係止部及び固定係止部と切欠き部との寸法や形状の誤差を吸収することができると共に、摩擦力により更に強固に固定することができる。
【０００８】
仮止め係止部の位置は、鉄蓋の寸法及び鉄蓋に形成されている切欠き部の位置や寸法に合わせて形成することができる。仮止め係止部の位置が異なる複数の円形カッター固定具を用意することにより、鉄蓋の寸法等に応じて使い分けることができる。
また、基部に対して仮止め係止部の位置を可変にした場合、１つの円形カッター固定具で種々の鉄蓋に対応することができ汎用性に優れる。例えば、仮止め係止部自体を伸縮自在に形成したもの、基部と仮止め係止部をピン嵌合やねじ止め等で摺動自在に固定したもの等が好適に用いられる。
調整固定部の回動軸支部は、回動部又はリンク部のいずれか一方に配設され、他方に穿設された軸支孔に挿通される。
【０００９】
リンク調整部は、２つの調整固定部の回動軸支部の間隔を調整できるものであればよく、例えばリンク調整部自体を伸縮或いは折曲させて長さを変化させ回動軸支部の間隔を調整するものや、２つの回動軸支部の少なくとも一方を長孔状等に形成された摺動保持部に摺動自在に保持し回動軸支部を摺動保持部に沿って摺動させて回動軸支部の間隔を調整するもの等が好適に用いられる。尚、２つの回動軸支部は、それぞれリンク調整部に対して回動自在に保持される。これにより、リンク調整部の変形に伴って２つの回動軸支部が左右に移動し、両者の間隔が変化しても、回動軸支部を中心としてリンク部を回動させることができるので、固定係止部の位置を調整することができ、確実な固定を行うことができる。鉄蓋が４箇所以上の切欠き部を有する場合は、それらの中から３箇所を選択し、仮止め係止部及び固定係止部を係止すればよい。
２つの調整固定部が、仮止め係止部と支持部の中心を通る軸線に対し左右対称に配設されている場合、２つの調整固定部を連結するリンク調整部を操作することにより、２つの調整固定部を略均等に伸縮させることができ、ほぼ均一な力で鉄蓋に対する固定を行うことができ施工性、固定の信頼性に優れる。
【００１０】
請求項２に記載の発明は、請求項１に記載の円形カッター固定具であって、一端に前記仮止め係止部が形成又は配設され他端が前記基部又は前記基部に延設された摺動支持部に摺動自在に配設された位置決め固定部を備えている構成を有している。
この構成により、請求項１の作用に加え、以下のような作用を有する。
（１）一端に仮止め係止部が形成又は配設された位置決め固定部の他端が基部又は基部に延設された摺動支持部に摺動自在に配設されているので、鉄蓋の大きさに応じて位置決め固定部を摺動させ、仮止め係止部の位置を鉄蓋の周縁部に形成された切欠き部に合わせて係合させることができ汎用性に優れる。
【００１１】
ここで、仮止め係止部は、基部の代わりに位置決め固定部の一端に前述と同様に形成又は配設される。また、位置決め固定部の他端は基部又は基部に延設された摺動支持部に対しピン嵌合やねじ止め等により摺動自在に固定される。
【００１２】
請求項３に記載の発明は、請求項２に記載の円形カッター固定具であって、前記位置決め固定部が、略長尺板状に形成され一端に前記仮止め係止部が形成又は配設された摺動部と、前記摺動部の他端に長手方向と平行に形成された長孔状の位置決め孔と、を有し、前記基部又は前記摺動支持部が、前記基部又は前記摺動支持部の上面に突設され前記位置決め孔に挿通される固定ボルト軸を備えている構成を有している。
この構成により、請求項２の作用に加え、以下のような作用を有する。
（１）位置決め固定部が、略長尺板状に形成され一端に仮止め係止部が形成又は配設された摺動部と、摺動部の他端に長手方向と平行に形成された長孔状の位置決め孔と、を有し、基部又は基部に延設された摺動支持部の上面に位置決め孔に挿通される固定ボルト軸が突設されているので、固定ボルト軸で確実に摺動部を案内して容易に位置決めすることができ施工性を向上させることができる。
（２）基部又は基部に延設された摺動支持部の上面に摺動部の位置決め孔に挿通される固定ボルト軸が突設されているので、固定ボルト軸に固定ナットを螺着するだけで容易に位置決め固定部を基部に固定することができ、固定作業性に優れる。
【００１３】
ここで、固定ボルト軸を二本以上設けた場合、基部又は摺動支持部に対し摺動部が回動するのを防止でき、確実に基部又は摺動支持部と位置決め固定部を固定して位置決めの信頼性に優れると共に、確実に仮止め係止部を鉄蓋の切欠き部に係合させて固定することができる。
また、固定ボルト軸に螺着する固定ナットとして蝶ナットを用いた場合、工具を用いることなく素手で容易に固定することができ、固定作業性に優れる。
【００１４】
請求項４に記載の発明は、請求項１乃至３の内いずれか１項に記載の円形カッター固定具であって、前記リンク調整部が、前記２つの回動軸支部にそれぞれ回動自在に配設された連結部と、両端部で前記２つの連結部に接続された伸縮部と、を備えている構成を有している。
この構成により、請求項１乃至３の内いずれか１項の作用に加え、以下のような作用を有する。
（１）リンク調整部が、２つの回動軸支部にそれぞれ回動自在に配設された連結部を接続する伸縮部を有するので、伸縮部を伸縮させることにより連結部で連結された２つの回動軸支部の距離を調整することができると共に、各々の回動軸支部を中心にリンク部を回動させ、固定係止部を鉄蓋の周縁部に形成された他の切欠き部に位置合わせして係合させることができる。
（２）リンク調整部の伸縮部が、両端部の連結部で２つの回動軸支部に回動自在に連結されているので、伸縮部を伸縮させるだけで２つの調整固定部を左右対称に動作させることができ、簡便かつ確実に鉄蓋への固定を行うことができる。
【００１５】
ここで、リンク調整部の伸縮部の両端部には略円筒状の連結部が形設され、中空部に調整固定部の回動軸支部が回動自在に枢軸される。リンク調整部の伸縮部としては、長さを調整して２つの調整固定部の回動軸支部の位置を固定できるものであればよく、例えば２つの回動軸支部にそれぞれ連設された連結部材をピン嵌合やねじ止め等により摺動自在に固定するもの等を用いることができる。
【００１６】
請求項５に記載の発明は、請求項４に記載の円形カッター固定具であって、前記リンク調整部の前記伸縮部が、ターンバックルである構成を有している。
この構成により、請求項４の作用に加え、以下のような作用を有する。
（１）リンク調整部の伸縮部がターンバックルであることにより、回転させるだけで容易に長さを調整して２つの調整固定部の回動軸支部の位置を固定することができる。
（２）リンク調整部の伸縮部として既製品のターンバックルを使用することにより、動作安定性に優れると共に、量産性、組立作業性に優れる。
【００１７】
請求項６に記載の発明は、請求項１乃至３の内いずれか１項に記載の円形カッター固定具であって、前記リンク調整部が、（ａ）長手方向の一端側に形成され前記２つの回動軸支部の内のいずれか一方の回動軸支部に回動自在に保持された連結孔と、長手方向の他端側に形成され前記２つの回動軸支部の内の他方の回動軸支部を摺動自在に保持する長孔状の摺動保持部と、を有する連結板と、（ｂ）前記連結板の他端に螺着され前記摺動保持部の長手方向と平行に移動して先端部で前記他方の回動軸支部を水平方向に押圧する固定ねじと、を備えている構成を有している。
この構成により、請求項１乃至３の内いずれか１項の作用に加え、以下のような作用を有する。
（１）リンク調整部の連結板が、長手方向の一端側に形成され２つの回動軸支部の内のいずれか一方の回動軸支部に回動自在に保持された連結孔と、長手方向の他端側に形成され２つの回動軸支部の内の他方の回動軸支部を摺動自在に保持する長孔状の摺動保持部と、を有するので、他方の回動軸支部を摺動保持部に沿って摺動させることにより、２つの回動軸支部の間隔を簡便に調整することができ、取扱い性、施工性に優れる。
（２）リンク調整部が、連結板の他端に螺着され摺動保持部の長手方向と平行に移動して先端部で他方の回動軸支部を水平方向に押圧する固定ねじを有するので、固定ねじを回動させるだけで連結板の摺動保持部に対して他方の回動軸支部を相対的に移動させると共に、任意の位置に確実に固定することができ、調整固定部の固定係止部が鉄蓋の切欠き部から外れるのを防止して固定の信頼性に優れる。
【００１８】
ここで、固定ねじの頭部には、一文字や十文字、六角形や星形等の工具嵌合部を形成するか、頭部の外形を六角形等の多角形状に形成することが好ましい。これにより、ドライバーやレンチ等の工具で固定ねじを回動させることができ、容易に固定ねじを締付けたり緩めたりすることができ、回動軸支部の位置を調整することができる。
尚、調整固定部の回動軸支部は、連結板の連結孔や摺動保持部に直接挿通して、連結孔や摺動保持部に対して回動自在に保持してもよいし、回動軸支部に回動部とリンク部とを回動自在に保持する略円筒状の連結部を配設した上で、連結板の連結孔や摺動保持部に挿通して、連結孔や摺動保持部に対して回動自在に保持してもよい。連結部により回動軸支部が回動部から抜けるのを防止できると共に、回動部及びリンク部の回動動作の安定性に優れる。また、連結部は回動軸支部に固定してもよいが、回動軸支部に対して回動自在とした場合は、特に回動部及びリンク部の回動動作時の負荷を低減でき、回動動作が滑らかで施工性に優れる。
【００１９】
請求項７に記載の発明は、請求項１乃至６の内いずれか１項に記載の円形カッター固定具であって、前記支持部が、前記円形カッターの前記回動中心軸を支持する中空部を有し、前記基部が、前記中空部の略中心位置に穿設された中心確認孔を備えている構成を有している。
この構成により、請求項１乃至６の内いずれか１項の作用に加え、以下のような作用を有する。
（１）支持部が円形カッターの回動中心軸を支持する中空部を有し、基部が中空部の略中心位置に穿設された中心確認孔を有するので、中心確認孔から鉄蓋の中心を確認して位置決め固定を行うことができ施工性、信頼性に優れる。
ここで、鉄蓋の略中心部に予め中心を示す目印を付けておくことにより、中心確認孔から容易に鉄蓋の中心を確認することができる。
【発明の効果】
【００２０】
以上のように、本発明の円形カッター固定具によれば、以下のような有利な効果が得られる。
請求項１に記載の発明によれば、以下のような効果を有する。
（１）基部に形成又は配設され鉄蓋の周縁部に形成された切欠き部に係合される仮止め係止部を有するので、仮止め係止部を切欠き部に係合させて基部をマンホールの鉄蓋上に載置するだけで容易に位置決めできる施工性に優れた円形カッター固定具を提供することができる。
（２）１つの仮止め係止部と２つの調整固定部の固定係止部をそれぞれ鉄蓋の周縁部に形成された切欠き部に係合させることができるので、基部と鉄蓋を３点で確実に固定することができ、円形カッターの回動中心軸を安定して支持し舗装路面の切断を行うことができる施工性、信頼性に優れた円形カッター固定具を提供することができる。
（３）２つの調整固定部が、基部に装設された軸支固定部に一端が回動自在に軸支された回動部と、回動軸支部を介して一端が回動部に回動自在に軸支され他端に形成又は配設された固定係止部で鉄蓋の周縁部に形成された他の切欠き部に係合されるリンク部を有するので、回動部の開度を調整すると共に、回動部に対してリンク部を回動させて固定係止部の位置を調整することができ、鉄蓋の寸法や切欠き部の位置に柔軟に対応して確実に固定することができる汎用性、取扱い性に優れた円形カッター固定具を提供することができる。
（４）２つの調整固定部の回動軸支部を連結するリンク調整部で２つの調整固定部の回動軸支部間の距離を変化させることで、回動軸支部を介して互いに回動自在に軸支された回動部とリンク部が回動し、基部の軸支固定部に対して固定係止部の位置を変化させることができ、鉄蓋に形成された切欠き部への固定と解除を切替えることができる施工性に優れた円形カッター固定具を提供することができる。
（５）２つの調整固定部が、仮止め係止部と支持部の中心を通る軸線に対し左右対称に配設されている場合、２つの調整固定部を連結するリンク調整部を操作することにより、２つの調整固定部を均等に伸縮させることができ、固定係止部を確実に鉄蓋の切欠き部に係合させて均一な力で固定を行うことができる信頼性に優れた円形カッター固定具を提供することができる。
（６）１つの仮止め係止部とリンク調整部で連結された２つの調整固定部を連結するリンク調整部を有することにより、１つの仮止め係止部で位置決めして仮止めした上で、リンク調整部を調整して２つの調整固定部の固定係止部で固定することができる固定作業が容易で作業性に優れた円形カッター固定具を提供することができる。
【００２１】
請求項２に記載の発明によれば、請求項１の効果に加え、以下のような効果を有する。
（１）一端に仮止め係止部が形成又は配設された位置決め固定部の他端が、基部又は基部に延設された摺動支持部に摺動自在に配設されているので、鉄蓋の大きさに応じて位置決め固定部を摺動させ、仮止め係止部の位置を鉄蓋の周縁部に形成された切欠き部に合わせて係合させることができる汎用性、確実性に優れた円形カッター固定具を提供することができる。
【００２２】
請求項３に記載の発明によれば、請求項２の効果に加え、以下のような効果を有する。
（１）位置決め固定部が、略長尺板状に形成され一端に仮止め係止部が形成又は配設された摺動部と、摺動部の他端に長手方向と平行に形成された長孔状の位置決め孔と、を有し、基部又は基部に延設された摺動支持部の上面に位置決め孔に挿通される固定ボルト軸が突設されていることにより、固定ボルト軸で確実に摺動部を案内して容易に位置決めすることができる施工性に優れた円形カッター固定具を提供することができる。
（２）基部又は基部に延設された摺動支持部の上面に摺動部の位置決め孔に挿通される固定ボルト軸が突設されていることにより、固定ボルト軸にナットを螺着するだけで容易に位置決め固定部を基部に固定することができる固定作業性に優れた円形カッター固定具を提供することができる。
【００２３】
請求項４に記載の発明によれば、請求項１乃至３の内いずれか１項の効果に加え、以下のような効果を有する。
（１）リンク調整部の伸縮部を伸縮させることにより両端部の連結部で連結された２つの回動軸支部の距離を調整することができると共に、各々の回動軸支部を中心にリンク部を回動させ、固定係止部を鉄蓋の周縁部に形成された他の切欠き部に容易に位置合わせして係合させることができる固定作業性に優れた円形カッター固定具を提供することができる。
（２）リンク調整部の伸縮部が、両端部の連結部で２つの回動軸支部に回動自在に連結されているので、伸縮部を伸縮させるだけで２つの調整固定部を左右対称に動作させることができ、簡便かつ確実に鉄蓋への固定を行うことができる信頼性、施工性に優れた円形カッター固定具を提供することができる。
【００２４】
請求項５に記載の発明によれば、請求項４の効果に加え、以下のような効果を有する。
（１）リンク調整部の伸縮部がターンバックルであることにより、回転させるだけで容易に長さを調整して２つの調整固定部の回動軸支部の位置を固定することができる施工性に優れた円形カッター固定具を提供することができる。
（２）リンク調整部の伸縮部として既製品のターンバックルを使用することにより、動作安定性に優れると共に、低コストで量産性に優れた円形カッター固定具を提供することができる。
【００２５】
請求項６に記載の発明によれば、請求項１乃至３の内いずれか１項の効果に加え、以下のような効果を有する。
（１）リンク調整部の連結板の長手方向の一端側に２つの回動軸支部の内のいずれか一方の回動軸支部に回動自在に保持された連結孔が形成され、他端側に２つの回動軸支部の内の他方の回動軸支部を摺動自在に保持する長孔状の摺動保持部が形成されているので、他方の回動軸支部を摺動保持部に沿って摺動させることにより、２つの回動軸支部の間隔を簡便に調整することができる取扱い性、施工性に優れた円形カッター固定具を提供することができる。
（２）リンク調整部が、連結板の他端に螺着され摺動保持部の長手方向と平行に移動して先端部で他方の回動軸支部を水平方向に押圧する固定ねじを有するので、固定ねじを回動させるだけで連結板の摺動保持部に対して他方の回動軸支部を相対的に移動させると共に、任意の位置に確実に固定することができ、調整固定部の固定係止部が鉄蓋の切欠き部から外れるのを防止できる固定の信頼性、施工性に優れた円形カッター固定具を提供することができる。
【００２６】
請求項７に記載の発明によれば、請求項１乃至６の内いずれか１項の効果に加え、以下のような効果を有する。
（１）支持部が円形カッターの回動中心軸が挿通される挿通孔を有し、基部が挿通孔の略中心位置に穿設された中心確認孔を有することにより、中心確認孔から鉄蓋の中心を確認して位置決め固定を行うことができる施工性、信頼性に優れたマンホール補修方法を提供することができる。
【発明を実施するための最良の形態】
【００２７】
（実施の形態１）
以下、本発明の実施の形態１における円形カッター固定具について、以下図面を参照しながら説明する。
図１は本発明の実施の形態１における円形カッター固定具を示す斜視図であり、図２は図１におけるＡ−Ａ線の要部断面矢視図である。
図１及び図２中、１は本発明の実施の形態１における円形カッター固定具、２は平板で略円形状に形成された円形カッター固定具１の基部、２ａは基部２に延設され後述する位置決め固定部４を摺動自在に支持する長尺板状の摺動支持部、３は中空部３ａの内周に雌ねじ３ｂが形設された長ナットを基部２に立設して形成された円形カッター固定具１の支持部、４は基部２の摺動支持部２ａに摺動自在に配設された円形カッター固定具１の位置決め固定部、４ａは略長尺板状に形成された位置決め固定部４の摺動部、５ａは摺動部４ａの一端にボルトにより形成されマンホール等の鉄蓋の周縁部に形成された切欠き部に係合される仮止め係止部、５ｂは略円筒状に形成され仮止め係止部５ａの軸部に挿通されて鉄蓋の切欠き部の端面に当接するスリーブ、５ｃは仮止め係止部５ａに螺着され基部２に仮止め係止部５ａを固定するナット、６ａ、６ｂは摺動部４ａの他端及び略中央部にそれぞれ長手方向と平行に形成された長孔状の位置決め孔、７ａ、７ｂはそれぞれ基部２の摺動支持部２ａの上面に突設され位置決め孔６ａ、６ｂに挿通される固定ボルト軸、８ａ、８ｂはそれぞれ固定ボルト軸７ａ、７ｂに螺着され摺動部４ａを基部２の摺動支持部２ａに位置決め固定する固定ナット、９ａ、９ｂは仮止め係止部５ａと支持部３の中心を通る軸線に対し左右対称に基部２に配設された円形カッター固定具１の２つの調整固定部、１０ａ、１０ｂは基部２に装設された軸支固定部１１ａ、１１ｂに一端が回動自在に軸支された調整固定部９ａ、９ｂの回動部、１３ａ、１３ｂ（図２参照）は一端に配設された回動軸支部１４ａ、１４ｂが回動部１０ａ、１０ｂの他端に穿設された軸支孔１２ａ、１２ｂに回動自在に軸支された調整固定部９ａ、９ｂのリンク部、１５ａ、１５ｂはリンク部１３ａ、１３ｂの一端にボルトにより形成され鉄蓋の周縁部に形成された他の切欠き部に係合される固定係止部、１６ａ、１６ｂは略円筒状に形成され固定係止部１５ａ、１５ｂの軸部に挿通されて鉄蓋の切欠き部の端面に当接するスリーブ、１７ａ、１７ｂは固定係止部１５ａ、１５ｂに螺着されリンク部１３ａ、１３ｂに固定係止部１５ａ、１５ｂを固定するナット、１８は軸支固定部１１ａ、１１ｂ及び回動軸支部１４ａ、１４ｂの外周に環装された座金、１９は軸支固定部１１ａ、１１ｂ及び回動軸支部１４ａ、１４ｂの上端部に貫設され抜けを防止する割ピン、２０は両端部に形設された略円筒状の連結部２０ａ、２０ｂで回動軸支部１４ａ、１４ｂに回動自在に連結され後述する伸縮部２１の伸縮により２つの調整固定部９ａ、９ｂの固定係止部１５ａ、１５ｂの位置を調整するリンク調整部、２１はターンバックルで形成されたリンク調整部２０の伸縮部、２１ａ、２１ｂは外周にそれぞれ左ねじ、右ねじが形設され一端が連結部２０ａ、２０ｂに溶接等により固定された伸縮部２１の伸縮用ボルト軸、２２ａ、２２ｂは操作部２３の両端にそれぞれ固設され伸縮用ボルト軸２１ａ、２１ｂの他端側に螺合された伸縮部２１の螺合ナット、２３は回動により螺合ナット２２ａ、２２ｂに対し伸縮用ボルト軸２１ａ、２１ｂを前後動させ伸縮部２１の全長を伸縮させて調整固定部９ａ、９ｂの回動軸支部１４ａ、１４ｂ及び固定係止部１５ａ、１５ｂの位置を調整する伸縮部２１の操作部である。
【００２８】
支持部３として中空部３ａに雌ねじ３ｂが形設された長ナットを使用した。これにより、円形カッターの回動中心軸の形状や寸法に応じた円筒部や円柱部を備えたジョイント部材（図示せず）の雄ねじ部を雌ねじ３ｂに着脱自在に螺着固定することができ、形状や寸法の異なる回動中心軸を回動自在に支持することができ汎用性を向上させる。
尚、円形カッターの回動中心軸が中実の円柱状の場合、円筒状の支持部３の中空部３ａの孔径を予め回動中心軸の外形よりもやや大き目に形成することにより、直接、回動中心軸を挿通して回動自在に支持することができる。また、円形カッターの回動中心軸が円筒状の場合、円柱状の支持部の外形を回動中心軸の中空部の孔径よりもやや小さめに形成することにより、直接、回動中心軸の中空部に挿通して回動自在に支持することができる。
【００２９】
位置決め固定部４の摺動部４ａには長手方向と平行に２つの長孔状の位置決め孔６ａ、６ｂを形設した。これにより、摺動部４ａを二本の固定ボルト軸７ａ、７ｂで摺動自在に案内できると共に、基部２の摺動支持部２ａに対し摺動部４ａが回動するのを防止できるので、確実に基部２と位置決め固定部４を固定でき位置決めの信頼性に優れ、仮止め係止部５ａを鉄蓋の切欠き部に係合させて強固に固定することができる。
本実施の形態では摺動支持部２ａを長尺板状に形成したが、略三角形状や略台形状等の摺動部４ａを支持することができる形状であれば、どの様な形状でもよい。また、２つの長孔状の位置決め孔６ａ、６ｂを独立して摺動部４ａに形設したが、これらは連続する１つの長孔状に形成してもよい。
尚、固定ボルト軸７ａ、７ｂに螺着するナットとして固定ナット８ａ、８ｂの代りに蝶ナットを用いた場合、工具を用いることなく素手で容易に固定することができ、作業性に優れる。
【００３０】
仮止め係止部５ａ及び固定係止部１５ａ、１５ｂのそれぞれの軸部に外周面で鉄蓋の切欠き部の端面に当接する円筒状のスリーブ５ｂ、１６ａ、１６ｂを挿通した。スリーブ５ｂ、１６ａ、１６ｂの高さ及び外径を切欠き部の大きさ及び深さに合わせて変更することにより、確実に切欠き部の端面と面接触させることができ、強固に固定できる。
本実施の形態では、スリーブ５ｂ、１６ａ、１６ｂをステンレス鋼等の金属で形成したが、スリーブ５ｂ、１６ａ、１６ｂを硬質性の合成樹脂や合成ゴムで形成してもよいし、金属製のスリーブ５ｂ、１６ａ、１６ｂの外周に合成ゴム等の弾性体を配設してもよい。これにより、仮止め係止部５ａ及び固定係止部１５ａ、１５ｂと鉄蓋の切欠き部との寸法や形状の誤差を吸収することができると共に、摩擦力により更に強固に固定することができ信頼性に優れる。
【００３１】
軸支固定部１１ａ、１１ｂ及び回動軸支部１４ａ、１４ｂの上端部に割ピン１９を貫設することにより、軸支固定部１１ａ、１１ｂ及び回動軸支部１４ａ、１４ｂが回動部１０ａ、１０ｂや連結部２０ａ、２０ｂから抜けるのを防止している。また、割ピン１９の下端に当接するように軸支固定部１１ａ、１１ｂ及び回動軸支部１４ａ、１４ｂの上端外周に座金１８を環装した。これにより、回動部１０ａ、１０ｂ及びリンク部１３ａ、１３ｂが回動する際に、割ピン１９を座金１８で支持することができ、割ピン１９が座金１８上を滑るように回動させることができるので、調整固定部９ａ、９ｂの動作安定性に優れ、確実に調整固定部９ａ、９ｂの固定係止部１５ａ、１５ｂを鉄蓋の切欠き部に係合させ強固に固定できる。
尚、本実施の形態では、軸支固定部１１ａ、１１ｂ及び回動軸支部１４ａ、１４ｂの抜け防止に割ピン１９を用いたが、これ以外にも抜けを防止できるものであればよく、例えば軸支固定部１１ａ、１１ｂ及び回動軸支部１４ａ、１４ｂの少なくとも上端部に雄ねじを形設し、ナットを螺合して溶接等により固定してもよい。
【００３２】
リンク調整部２０の伸縮部２１は既製品のターンバックルにより形成した。これにより、操作部２３を回動させるだけで伸縮部２１（リンク調整部２０）の全長を伸縮させることができ、回動軸支部１４ａ、１４ｂ間の距離が変動し、基部２に対し回動部１０ａ、１０ｂが軸支固定部１１ａ、１１ｂを中心に回動すると共に、リンク部１３ａ、１３ｂが回動軸支部１４ａ、１４ｂを中心に回動する。この結果、軸支固定部１１ａ、１１ｂから固定係止部１５ａ、１５ｂまでの距離を変化させることができるので、固定係止部１５ａ、１５ｂの切欠き部への係合状態を調整することができ、鉄蓋への円形カッター固定具１の固定と解除を容易に切替えることができる。また、２つの調整固定部９ａ、９ｂが左右対称に配設されているので、リンク調整部２０の伸縮部２１による伸縮動作が安定し、固定係止部１５ａ、１５ｂを均等な力で切欠き部へ係合させ強固に固定することができる。
【００３３】
以上のように構成された実施の形態１における円形カッター固定具の使用方法について、以下、図面を用いて説明する。
図３は本発明の実施の形態１における円形カッター固定具を鉄蓋に仮止めした状態を示す平面図であり、図４は図３におけるＢ−Ｂ線の要部断面矢視図であり、図５は本発明の実施の形態１における円形カッター固定具の固定状態を示す平面図であり、図６は図５におけるＣ−Ｃ線の要部断面矢視図である。
【００３４】
図３乃至図６中、２ｂ（図４）は支持部３の中空部の略中心位置で基部２に穿設された中心確認孔、４ｂ（図４）は位置決め固定部４の摺動部４ａの裏面に突設され基部２との高さを調整する高さ調整部、２５は補修を行うマンホールの鉄蓋、２６は鉄蓋２５の周縁部に形成された長孔状の切欠き部、２６ａ（図４）は切欠き部２６の端面、２７ａ、２７ｂは鉄蓋２５の周縁部に左右対称に形成された他の切欠き部、２７ｃは切欠き部２７ａ、２７ｂの端面である。
まず、固定ナット８ａ、８ｂを緩め、位置決め固定部４の摺動部４ａを摺動可能にする。また、伸縮部２１の操作部２３を回動させ、予め調整固定部９ａ、９ｂの固定係止部１５ａ、１５ｂが切欠き部２７ａ、２７ｂの開口側の端部にかかる程度にリンク調整部２０（伸縮部２１）を伸縮させて、固定係止部１５ａ、１５ｂの位置を調整する。
【００３５】
次に、図３に示すように、位置決め固定部４の仮止め係止部５ａを切欠き部２６に係合させるようにして基部２を鉄蓋２５上に載置する。基部２の円形状の外径を鉄蓋２５の中央の円形状マーク（模様）と同等か、やや小さめに形成しておくことにより、鉄蓋２５の中心との位置決めを容易に行うことができる。また、鉄蓋２５の表面に予め中心を示す目印をつけておけば、中心確認孔２ｂから目印を確認しながら円形カッター固定具１を位置決めすることができる。その後、図４に示すように、スリーブ５ｂの外周面が切欠き部２６の端面２６ａに当接するまで摺動部４ａを摺動させ、固定ナット８ａ、８ｂを締めて基部２の摺動支持部２ａと摺動部４ａを固定する。位置決め固定部４の仮止め係止部５ａにより、円形カッター固定具１が鉄蓋２５に仮止めされる。
このとき、位置決め固定部４の摺動部４ａの裏面に基部２との高さを調整する高さ調整部４ｂが突設されているので、摺動部４ａが撓むのを防止でき施工性に優れる。
尚、本実施の形態では、基部２を円形状に形成したが、鉄蓋２５の中央のマーク（模様）の形状に応じて三角形状や矩形状等の任意の形状に形成することができる。
【００３６】
次に、図５に示すように、リンク調整部２０の全長が短くなる方向に伸縮部２１の操作部２３を回動させ、調整固定部９ａ、９ｂの固定係止部１５ａ、１５ｂが切欠き部２７ａ、２７ｂに沿って鉄蓋２５の中心に近づくように調整固定部９ａ、９ｂを収縮（くの字型に変形）させる。図６に示すように、調整固定部９ａ、９ｂの固定係止部１５ａ、１５ｂをスリーブ１６ａ、１６ｂの外周面で切欠き部２７ａ、２７ｂの端面２７ｃに当接させることにより、円形カッター固定具１と鉄蓋２５が強固に固定される。
本実施の形態ではリンク調整部２０の伸縮部２１としてターンバックルを用いたが、これに限定されるものではなく、長さを調整して２つの調整固定部９ａ、９ｂの回動軸支部１４ａ、１４ｂの位置を固定できるものであればよく、例えば２つの回動軸支部１４ａ、１４ｂにそれぞれ連設された連結部材をピン嵌合やねじ止め等により摺動自在に固定するもの等を用いてもよい。
円形カッターの回動中心軸の形状や寸法に応じた円筒部や円柱部を備えたジョイント部材（図示せず）の雄ねじ部を雌ねじ３ａに螺着し、円形カッターの回動中心軸を回動自在に支持することにより、鉄蓋２５周辺の舗装路面を鉄蓋２５と略同心円の円形に切断することができる。
【００３７】
実施の形態１における円形カッター固定具は以上のように構成されているので、以下の作用を有する。
（１）位置決め固定部４が、摺動部４ａを介して基部２の摺動支持部２ａに配設され鉄蓋２５の周縁部に形成された切欠き部２６に係合される仮止め係止部５ａを有するので、仮止め係止部５ａを切欠き部２６に係合させて基部２をマンホールの鉄蓋２５上に載置するだけで容易に位置決め固定でき施工性に優れる。
（２）１つの位置決め固定部４に配設された仮止め係止部５ａと２つの調整固定部９ａ、９ｂに配設された固定係止部１５ａ、１５ｂをそれぞれ鉄蓋２５の周縁部に形成された切欠き部２７ａ、２７ｂに係合させることができるので、基部２と鉄蓋２５を３点で確実に固定することができ、円形カッターの回動中心軸を安定して支持し舗装路面の切断を行うことができる。
（３）２つの調整固定部９ａ、９ｂが、基部２に装設された軸支固定部１１ａ、１１ｂに一端が回動自在に軸支された回動部１０ａ、１０ｂと、回動軸支部１４ａ、１４ｂを介して一端が回動部１０ａ、１０ｂに回動自在に軸支され他端に形成又は配設された固定係止部１５ａ、１５ｂで鉄蓋２５の周縁部に形成された他の切欠き部２７ａ、２７ｂに係合されるリンク部１３ａ、１３ｂを有するので、回動部１０ａ、１０ｂの開度を調整すると共に、回動部１０ａ、１０ｂに対してリンク部１３ａ、１３ｂを回動させて固定係止部１５ａ、１５ｂの位置を調整することができ、鉄蓋２５の寸法や切欠き部２６、２７ａ、２７ｂの位置に柔軟に対応して確実に固定することができる。
（４）リンク調整部２０が、２つの調整固定部９ａ、９ｂの回動軸支部１４ａ、１４ｂに両端部で回動自在に連結され伸縮により２つの調整固定部９ａ、９ｂの固定係止部１５ａ、１５ｂの位置を調整する伸縮部２１を有するので、伸縮部２１を伸縮させることにより２つの調整固定部９ａ、９ｂの回動軸支部４ａ、１４ｂ間の距離が変化し、それに伴って回動軸支部４ａ、１４ｂを介して互いに回動自在に軸支された回動部１０ａ、１０ｂとリンク部１３ａ、１３ｂが回動し、基部２の軸支固定部１１ａ、１１ｂに対して固定係止部１５ａ、１５ｂの位置を変化させることができ、鉄蓋２５に形成された切欠き部２７ａ、２７ｂへの固定と解除を切替えることができる。
（５）２つの調整固定部９ａ、９ｂが、仮止め係止部５ａと支持部３の中心を通る軸線に対し左右対称に配設されていることにより、２つの調整固定部９ａ、９ｂを連結するリンク調整部２０の伸縮部２１を操作することにより、２つの調整固定部９ａ、９ｂを均等に伸縮させることができ、均一な力で鉄蓋に対する固定を行うことができる。
（６）円形カッター固定具１が、１つの位置決め固定部４と、リンク調整部２０により連結された２つの調整固定部９ａ、９ｂ有することにより、１つの位置決め固定部４の仮止め係止部５ａで位置決めして仮止めした上で、リンク調整部２０を調整して２つの調整固定部９ａ、９ｂの固定係止部１５ａ、１５ｂで固定することができるので、固定作業が容易で作業性に優れる。
（７）一端に仮止め係止部５ａが配設された位置決め固定部４の摺動部４ａが基部２の摺動支持部２ａに摺動自在に配設されているので、鉄蓋２５の大きさに応じて摺動部４ａを摺動させ、仮止め係止部５ａの位置を鉄蓋２５の周縁部に形成された切欠き部２６に合わせて係合させることができ汎用性に優れる。
（８）位置決め固定部４が、略長尺板状に形成され一端に仮止め係止部５ａが配設された摺動部４ａと、摺動部４ａの他端及び略中央部に長手方向と平行に形成された長孔状の位置決め孔６ａ、６ｂと、を有し、基部２の摺動支持部２ａの上面に位置決め孔６ａ、６ｂに挿通される固定ボルト軸７ａ、７ｂが突設されているので、固定ボルト軸７ａ、７ｂで確実に摺動部４ａを案内して容易に位置決めすることができ施工性を向上させることができる。
（９）基部２の摺動支持部２ａの上面に摺動部４ａの位置決め孔６ａ、６ｂに挿通される固定ボルト軸７ａ、７ｂが突設されているので、固定ボルト軸７ａ、７ｂに固定ナット８ａ、８ｂを螺着するだけで容易に位置決め固定部４を基部２に固定することができ、固定作業性に優れる。
（１０）固定ボルト軸７ａ、７ｂを二本設けることにより、基部２の摺動支持部２ａに対し摺動部４ａが回動するのを防止でき、確実に基部２と位置決め固定部４を固定して位置決めの信頼性に優れると共に、確実に仮止め係止部５ａを鉄蓋２５の切欠き部２６に係合させて固定することができる。
（１１）支持部３の中空部３ａに雌ねじ３ｂを形設することにより、雌ねじ３ｂに円形カッターの回動中心軸の形状や寸法に応じた円筒部や円柱部を備えたジョイント部材を螺着して種々の円形カッターの回動中心軸を回動自在に支持することができ汎用性に優れる。
（１２）リンク調整部２０の伸縮部２１をターンバックルで形成することにより、操作部２３を回転させるだけで容易に長さを調整して２つの調整固定部９ａ、９ｂの回動軸支部１４ａ、１４ｂの位置を固定することができる。
（１３）リンク調整部２０の伸縮部２１として既製品のターンバックルを使用することにより、動作安定性に優れると共に、低コストで量産性に優れる。
（１４）支持部３が円形カッターの回動中心軸を支持する中空部３ａを有し、基部２が中空部の略中心位置に穿設された中心確認孔２ｂを有するので、中心確認孔２ｂから鉄蓋２５の中心を確認して位置決め固定を行うことができ施工性、信頼性に優れる。
（１５）仮止め係止部５ａ及び固定係止部１５ａ、１５ｂのそれぞれの軸部に、切欠き部２６、２７ａ、２７ｂの大きさ及び深さに合わせて外径及び高さを変更した円筒状のスリーブ５ｂ、１６ａ、１６ｂを挿通することにより、その外周面を鉄蓋２５の切欠き部２６、２７ａ、２７ｂの端面２６ａ、２７ｃに確実に面接触させることができ、強固に固定できる。
（１６）円形カッター固定具１が鉄蓋２５に強固に固定されることにより、円形カッターが大型で重量のある場合でも確実に支持することができ、切断作業の信頼性、動作安定性に優れる。
【００３８】
（実施の形態２）
図７は本発明の実施の形態２における円形カッター固定具を鉄蓋に仮止めした状態を示す平面図であり、図８は図７におけるＤ−Ｄ線の要部断面矢視図であり、図９は本発明の実施の形態２における円形カッター固定具の固定状態を示す平面図である。尚、実施の形態１と同様のものには同一の符号を付して説明を省略する。
図７乃至９中、実施の形態２における円形カッター固定具１ａが実施の形態１と異なるのは、リンク調整部３０が、長手方向の一端側に形成された連結孔３１ａで２つの回動軸支部１４ａ、１４ｂの内の一方の回動軸支部１４ａに配設された連結部２０ａに回動自在に保持され、長手方向の他端側に形成された長孔状の摺動保持部３１ｂで２つの回動軸支部１４ａ、１４ｂの内の他方の回動軸支部１４ｂに配設された連結部２０ｂを摺動自在に保持する連結板３１と、連結板３１の他端に形設された固定ねじ保持部３１ｃに螺着され摺動保持部３１ｂの長手方向と平行に移動して先端部３２ａで他方の回動軸支部１４ｂを水平方向に押圧する固定ねじ３２と、を有する点である。
【００３９】
以上のように構成された実施の形態２における円形カッター固定具の使用方法について、以下、図面を用いて説明する。
まず、実施の形態１と同様に固定ナット８ａ、８ｂを緩め、位置決め固定部４の摺動部４ａを摺動可能にする。また、図７、８に示すように固定ねじ３２を緩め、調整固定部９ａ、９ｂの固定係止部１５ａ、１５ｂが切欠き部２７ａ、２７ｂの開口側の端部にかかる程度に回動軸支部１４ａ、１４ｂの間隔を拡げ、固定係止部１５ａ、１５ｂの位置を調整する。
次に、図７に示すように、位置決め固定部４の仮止め係止部５ａを切欠き部２６に係合させるようにして基部２を鉄蓋２５上に載置する。その後、実施の形態１と同様に、スリーブ５ｂの外周面が切欠き部２６の端面２６ａに当接するまで摺動部４ａを摺動させ、固定ナット８ａ、８ｂを締めて基部２の摺動支持部２ａと摺動部４ａを固定する（図４参照）。位置決め固定部４の仮止め係止部５ａにより、円形カッター固定具１ａが鉄蓋２５に仮止めされる。
【００４０】
次に、図９に示すように、固定ねじ３２を締めることにより、連結部２０ｂを介して回動軸支部１４ｂを水平方向に押圧し、摺動保持部３１ｂに沿って回動軸支部１４ａ側に移動させ、調整固定部９ａ、９ｂの固定係止部１５ａ、１５ｂが切欠き部２７ａ、２７ｂに沿って鉄蓋２５の中心に近づくように回動軸支部１４ａ、１４ｂの間隔を狭める。実施の形態１と同様に、調整固定部９ａ、９ｂの固定係止部１５ａ、１５ｂをスリーブ１６ａ、１６ｂの外周面で切欠き部２７ａ、２７ｂの端面２７ｃに当接させることにより、円形カッター固定具１ａと鉄蓋２５が強固に固定される（図６参照）。
尚、固定ねじ３２の頭部には、一文字や十文字、六角形や星形等の工具嵌合部を形成するか、頭部の外形を六角形等の多角形状に形成した。これにより、ドライバーやレンチ等の工具で固定ねじ３２を回動させることができ、容易に固定ねじ３２を締付けたり緩めたりすることができ、回動軸支部１４ａ、１４ｂの位置を調整することができる。
【００４１】
本実施の形態では、実施の形態１と同様に回動軸支部１４ａ、１４ｂに回動部１０ａ、１０ｂとリンク部１３ａ、１３ｂとを回動自在に保持する略円筒状の連結部２０ａ、２０ｂを配設した上で、連結板３１の連結孔３１ａや摺動保持部３１ｂに挿通して、連結孔３１ａや摺動保持部３１ｂに対して回動自在に保持した。これにより、回動軸支部１４ａ、１４ｂが回動部１０ａ、１０ｂから抜けるのを防止できると共に、回動部１０ａ、１０ｂ及びリンク部１３ａ、１３ｂの回動動作の安定性に優れる。連結部２０ａ、２０ｂは回動軸支部１４ａ、１４ｂに固定してもよいが、回動軸支部１４ａ、１４ｂに対して回動自在とした場合は、回動部１０ａ、１０ｂ及びリンク部１３ａ、１３ｂの回動動作時の負荷を低減でき、回動動作が滑らかで施工性に優れる。尚、連結部２０ａ、２０ｂを設けず、回動軸支部１４ａ、１４ｂを連結板３１の連結孔３１ａや摺動保持部３１ｂに直接挿通し、連結孔３１ａや摺動保持部３１ｂに対して回動自在に保持してもよい。
また、摺動保持部３１ｂの内部に固定ねじ３２と反対側で回動軸支部１４ｂを固定ねじ３２側に付勢するコイルばね等のばね材を配設した場合、固定ねじ３２を緩めるだけで回動軸支部１４ｂが自動的に図７に示した仮止め状態の位置に復帰するので施工性に優れる。尚、固定ねじ保持部３１ｃは連結板３１の端部を折曲する等して連結板３１と一体に形成してもよいし、連結板３１の端部に別部材を溶接する等して形成してもよい。
【００４２】
実施の形態２における円形カッター固定具は以上のように構成されているので、実施の形態１の作用に加え、以下の作用を有する。
（１）リンク調整部３０の連結板３１が、長手方向の一端側に形成され２つの回動軸支部１４ａ、１４ｂの内の一方の回動軸支部１４ａに配設された連結部２０ａに回動自在に保持された連結孔３１ａと、長手方向３１の他端側に形成され２つの回動軸支部１４ａ，１４ｂの内の他方の回動軸支部１４ｂに配設された連結部２０ｂを摺動自在に保持する長孔状の摺動保持部３１ｂと、を有するので、他方の連結部２０ｂと共に回動軸支部１４ｂを摺動保持部３１ｂに沿って摺動させることにより、２つの回動軸支部１４ａ、１４ｂの間隔を簡便に調整することができ、取扱い性、施工性に優れる。
（２）リンク調整部３０が、連結板３１の他端に螺着され摺動保持部３１ｂの長手方向と平行に移動して先端部３２ａで他方の回動軸支部１４ｂに配設された連結部２０ｂを水平方向に押圧する固定ねじ３２を有するので、固定ねじ３２を回動させるだけで連結板３１の摺動保持部３１ｂに対して他方の回動軸支部１４ｂを相対的に移動させると共に、任意の位置に確実に固定することができ、調整固定部９ａ、９ｂの固定係止部１５ａ、１５ｂが鉄蓋２５の切欠き部２７ａ、２７ｂから外れるのを防止して固定の信頼性に優れる。
【産業上の利用可能性】
【００４３】
本発明は、舗装道路における走行車両の振動や経年劣化等により沈下又は破損したマンホール周辺の舗装路面を補修する際に用いられる円形カッターの回動中心軸を位置決めし、回動自在に支持する円形カッター固定具に関するものであり、位置決め及び固定作業が容易で作業工数を低減でき施工性に優れると共に、マンホールの鉄蓋に形成された切欠き部に係合させて均一かつ強固に固定することができ信頼性に優れ、鉄蓋の大きさや切欠き部の位置によらず確実に固定することができ汎用性に優れる円形カッター固定具を提供することができ、円形カッターによる路面切断作業を効率的に行うことができる。
【図面の簡単な説明】
【００４４】
【図１】（ａ）本発明の実施の形態１における円形カッター固定具を示す斜視図
【図２】図１におけるＡ−Ａ線の要部断面矢視図
【図３】本発明の実施の形態１における円形カッター固定具を鉄蓋に仮止めした状態を示す平面図
【図４】図３におけるＢ−Ｂ線の要部断面矢視図
【図５】本発明の実施の形態１における円形カッター固定具の固定状態を示す平面図
【図６】図５におけるＣ−Ｃ線の要部断面矢視図
【図７】本発明の実施の形態２における円形カッター固定具を鉄蓋に仮止めした状態を示す平面図
【図８】図７におけるＤ−Ｄ線の要部断面矢視図
【図９】本発明の実施の形態２における円形カッター固定具の固定状態を示す平面図
【符号の説明】
【００４５】
１，１ａ  円形カッター固定具
２  基部
２ａ  摺動支持部
２ｂ  中心確認孔
３  支持部
３ａ  中空部
３ｂ  雌ねじ
４  位置決め固定部
４ａ  摺動部
４ｂ  高さ調整部
５ａ  仮止め係止部
５ｂ  スリーブ
５ｃ  ナット
６ａ、６ｂ  位置決め孔
７ａ、７ｂ  固定ボルト軸
８ａ、８ｂ  固定ナット
９ａ、９ｂ  調整固定部
１０ａ、１０ｂ  回動部
１１ａ、１１ｂ  軸支固定部
１２ａ、１２ｂ  軸支孔
１３ａ、１３ｂ  リンク部
１４ａ、１４ｂ  回動軸支部
１５ａ、１５ｂ  固定係止部
１６ａ、１６ｂ  スリーブ
１７ａ、１７ｂ  ナット
１８  座金
１９  割ピン
２０，３０  リンク調整部
２０ａ、２０ｂ  連結部
２１  伸縮部
２１ａ、２１ｂ  伸縮用ボルト軸
２２ａ、２２ｂ  螺合ナット
２３  操作部
２５  鉄蓋
２６  切欠き部
２６ａ  端面
２７ａ、２７ｂ  切欠き部
２７ｃ  端面
３１  連結板
３１ａ  連結孔
３１ｂ  摺動保持部
３１ｃ  固定ねじ保持部
３２  固定ねじ
【図１】
2006194071.tif 000003
【図２】
2006194071.tif 000004
【図３】
2006194071.tif 000005
【図４】
2006194071.tif 000006
【図５】
2006194071.tif 000007
【図６】
2006194071.tif 000008
【図７】
2006194071.tif 000009
【図８】
2006194071.tif 000010
【図９】
2006194071.tif 000011